(57)【要約】      （修正有）【課題】軸穴が設けられている研磨体に連接部材を結合することにより、三つの挟み顎（爪）が設けられているチャックを有する電動式又は手動式の研磨工具に、研磨体を組付けて作業することが可能となる研磨体用連接部材を提供する。【解決手段】研磨体用連接部材は、本体１と、固定部材２を具備する。本体１は、連接部１１と、連接部１１の一端面と連接しその内部に収容空間１２を形成した円筒状部１３と、収容空間１２と連通する開口１４を有する。収容空間１２の内周面には内ねじ部１２１が設けられている。固定部材２には、止め部２１と、止め部２１と連接して一体となり収容空間１２の内ねじ部１２１と螺合する外ねじ部２２が設けられている。【選択図】図１
0003207549.tif 000002
【実用新案登録請求の範囲】
【請求項１】
本体と、固定部材を具備する研磨体用連接部材において、
前記本体は、連接部と、前記連接部の一端面と連接しその内部に収容空間を形成した円筒状部と、前記収容空間と連通する開口を有し、前記収容空間の内周面には内ねじ部が設けられており、前記固定部材には、止め部と、前記止め部と連接して一体となり前記収容空間の前記内ねじ部と螺合する外ねじ部が設けられていることを特徴とする研磨体用連接部材。
【請求項２】
前記連接部の適宜の箇所に、環状溝が設けられていることを特徴とする請求項１に記載の研磨体用連接部材。
【請求項３】
前記連接部の断面形状は多角形を呈することを特徴とする請求項１又は２に記載の研磨体用連接部材。
【考案の詳細な説明】
【技術分野】
【０００１】
本考案は、研磨体用連接部材に関し、特に、研磨体を結合する作業が便利となる研磨体用連接部材に関するものである。
【背景技術】
【０００２】
各種類の材質を持つワークの表面を研磨するために、色々の研磨体が開発されている。例えばエメリクロス輪、サンドホイール、不織布研磨輪、ゴム研磨輪及び金属ワイヤ研磨輪などにより、ワークを研磨、ゴミ除去、除錆及び研削することが可能である。一般的な研磨体であるエメリクロス輪は、図３に示すように、研磨機または研磨工具に設けられているシャフト２´に結合可能である。研磨体１´には軸穴１１´が設けられている。研磨体１´の軸穴１１´にシャフト２´を挿通した後、シャフト２´のねじ部２１´に、内ねじが設けられているブロック３´を締付けることにより、シャフト２´に研磨体１´を固定することができる。これにより、研磨体１´は、図４に示すように、シャフト２´と同期に回転して、ワークを研磨することができる。
【０００３】
このような研磨体１´は、三つの挟み顎(爪)が設けられているチャックを有するがシャフトは設けられていない構造の電動式又は手動式の研磨工具に組付けて作業することができない。このため、連接部材を利用して、軸穴１１´が設けられている研磨体１´に連接部材を結合すれば、三つの挟み顎(爪)が設けられているチャックを有する電動式又は手動式の研磨工具に、研磨体１´を組付けて作業するができるようになる。
【考案の概要】
【考案が解決しようとする課題】
【０００４】
本考案の主な目的は、連接部材を利用して、軸穴が設けられている研磨体に連接部材を結合することにより、三つの挟み顎(爪)が設けられているチャックを有する電動式又は手動式の研磨工具に、研磨体を組付けて作業することが可能となる研磨体用連接部材を提供することにある。
【課題を解決するための手段】
【０００５】
本考案によれば、本体と、固定部材を具備する研磨体用連接部材において、本体は、連接部と、連接部の一端面と連接しその内部に収容空間を形成した円筒状部と、収容空間と連通する開口を有し、収容空間の内周面には内ねじ部が設けられており、固定部材には、止め部と、止め部と連接して一体となり上記収容空間の内ねじ部と螺合する外ねじ部が設けられていることを特徴とする研磨体用連接部材が提供される。
【０００６】
本考案によれば、連接部の適宜の箇所に、環状溝が設けられていることを特徴とする上記研磨体用連接部材が提供される。
【０００７】
本考案によれば、連接部の断面形状は多角形を呈することを特徴とする上記研磨体用連接部材が提供される。
【考案の効果】
【０００８】
本考案の研磨体用連接部材によれば、連接部材を利用して、軸穴が設けられている研磨体に連接部材を結合すると、三つの挟み顎(爪)が設けられているチャックを有する電動式又は手動式の研磨工具に、研磨体を組付けて作業するが可能となるという効果を有する。
【図面の簡単な説明】
【０００９】
【図１】本考案の実施例に係る研磨体用連接部材を示す分解斜視図である。
【図２】本考案の実施例に係る研磨体用連接部材を示す断面図である。
【図３】従来のエメリクロス輪を示す断面図である。
【図４】従来のエメリクロス輪の使用状態を示す断面図である。
【考案を実施するための形態】
【００１０】
以下、本考案の実施の形態を図面に基づいて説明する。
【００１１】
図１及び図２を参照する。本考案に係る研磨体用連接部材は、本体１と、固定部材２を具備する。本体１は、連接部１１と、連接部１１の一端面と連接する円筒状部１３と、開口１４から構成されている。上記連接部１１の断面形状は多角形を呈する。例えば連接部１１の断面形状は、六角形を呈してもよい。上記円筒状部１３の内部には収容空間１２が設けられている。この収容空間１２の内周面には内ねじ部１２１が設けられている。上記開口１４は上記収容空間１２と連通している。
【００１２】
上記連接部１１の適宜の箇所には、環状溝１１１が設けられていることが好ましい。環状溝１１１を設けることにより、チャックは連接部１１を効率よく良く挟みことが可能である。
【００１３】
上記固定部材２には、止め部２１と、止め部２１と連接して一体となり上記収容空間１２の内ねじ部１２１と螺合する外ねじ部２２が設けられている。
【００１４】
図２を参照する。次に、本考案に係る研磨体用連接部材の使用方法を説明する。まず、研磨体３の軸穴３１に固定部材２の外ねじ部２２を挿通した後、固定部材２の外ねじ部２２に本体１の内ねじ部１２１を螺合する。これにより、本体１の円筒状部１３の底端面１３１と固定部材２の止め部２１の頂端面２１１により、研磨体３の上端面３２と下端面３３を挟着することができるから、研磨体３と本体１が結合して一体となる。
【００１５】
上記構成により、研磨体３と本体１が結合して一体となり、且つ本体１には、断面形状が多角形を呈する連接部１１が設けられているため、三つの挟み顎(爪)が設けられているチャックを有する電動式又は手動式の研磨工具に、研磨体３を組付けて作業することが可能となる。
【００１６】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００１７】
本考案は、研磨体に適用することができる。
【符号の説明】
【００１８】
１  本体
２  固定部材
３  研磨体
１１  連接部
１２  収容空間
１３  円筒状部
１４  開口
２１  止め部
２２  外ねじ部
３１  軸穴
３２  上端面
３３  下端面
１１１  環状溝
１２１  内ねじ部
１３１  底端面
２１１  頂端面
【図１】
0003207549.tif 000003
【図２】
0003207549.tif 000004
【図３】
0003207549.tif 000005
【図４】
0003207549.tif 000006